(57)【要約】【課題】可視光及び赤外光の波長領域の撮影を可能とする昼夜兼用の監視用撮像装置において、夜間撮影時に赤外光の波長による結像倍率が原因となり周辺解像力の低下が起こる。【解決手段】可視光及び赤外光の波長領域の撮影を可能とする撮像装置において、前記撮像装置は物体側から順に、撮像レンズと、被写体の赤外領域の結像倍率を調整するために光軸方向に移動可能な光学素子と、被写体像が結像する撮像素子からなることを特徴とし、前記撮像レンズはズーム倍率を可変するズームレンズと、被写体の結像位置を可変するフォーカスレンズと、入射光量を可変する絞り機構を備える事を特徴とする撮像レンズであり、前記光学素子は撮像装置の記憶部にズームレンズの位置、フォーカスレンズの位置、絞りの大きさに対応する前記光学素子の移動量が記載された補正情報を元に、前記撮像レンズのズームレンズの位置、フォーカスレンズの位置、絞りの大きさに応じて前記光学素子の移動量を決定し移動可能とすることを特徴とする。【選択図】図１１
2017203913.tif 000002
【特許請求の範囲】
【請求項１】
可視光及び赤外光の波長領域の撮影を可能とする撮像装置において、前記撮像装置は物体側から順に、撮像レンズと、被写体の赤外領域の結像倍率を調整するために光軸方向に移動可能な光学素子と、被写体像が結像する撮像素子からなる事を特徴とし、
前記撮像レンズはズーム倍率を可変するズームレンズと、被写体の結像位置を可変するフォーカスレンズと、入射光量を可変する絞り機構を備える事を特徴とする撮像レンズであり、前記光学素子は撮像装置の記憶部にズームレンズの位置、フォーカスレンズの位置、絞りの大きさに対応する前記光学素子の移動量が記載された補正情報を元に、前記撮像レンズのズームレンズの位置、フォーカスレンズの位置、絞りの大きさに応じて前記光学素子の移動量を決定し移動可能とする事を特徴とする撮像装置。
【請求項２】
請求項１に記載の、次なる条件式を満足する事を特徴とする撮像装置。
0.01<L2/L1<0.2                                           
但し、
L1：絞りから撮像素子までの距離
L2：前記光学素子から撮像素子までの距離 
【請求項３】
請求項１又は請求項２に記載の、前記光学素子は負の屈折力のレンズと正の屈折力のレンズからなる事を特徴とし、次なる条件式を満足する事を特徴とする撮像装置。
3.2 x 10-3 <|fp/funit|<1.0 x 10-1 
2.0 x 10-3 <|θfsp-θfsn|＜2.3 x 10-２ 
但し、 
Funit：前記光学素子の全系の焦点距離
fp:前記光学素子に含まれる正の屈折力のレンズの焦点距離
θfsp：前記光学素子の正の屈折力のレンズの部分分散比
θfsn：前記光学素子の負の屈折力のレンズの部分分散比
【請求項４】
請求項１又は請求項２に記載の、前記光学素子は回折光学素子を有し、次なる条件式を満足する事を特徴とする撮像装置。
1.0 x 10-3 <|Z/fdoe|<1.0x10-1 
但し、 
fdoe: 前記光学素子に含まれる回折光学素子の焦点距離
Z：撮像レンズのズーム倍率
【請求項５】
請求項１又は請求項２に記載の、前記光学素子は次なる条件式を満足する材料よりなるレンズGNLを有し、所定の式を満足する事を特徴とする撮像装置。
-2.1000x10-3xνd+0.693  < θgf                              
0.555 < θgf <  0.9000                                        
1.0 x 10-2 <|fGNL/funit|<1.0 x 10-1 
但し、 
νd:レンズGNLのアッベ数 
θgf:レンズGNLの部分分散比 
fGNL: 前記光学素子に含まれるレンズGNLの焦点距離
【発明の詳細な説明】
【技術分野】
【０００１】
本発明は、ズームレンズ及びそれを有する撮像装置における各種光源下での解像力改善に関し、放送用テレビカメラ、ビデオカメラ、デジタルスチルカメラ、銀塩写真用カメラ等に好適なものである。
【背景技術】
【０００２】
近年、テレビカメラ、デジタルカメラ、ビデオカメラ等の撮像装置の分野では、ＨＤＴＶ化（ハイビジョン）や更に高精細な4K対応化が進み、より高精細な映像を実現が求められている。
【０００３】
また、ユーザーの撮影環境へのニーズが多様化しており、可視光領域から赤外光領域まで撮影可能な撮像装置が開発されている。通常の明るい環境における可視光域での撮影に加えて、薄暮下等で光量確保を目的とした撮影波長領域の広域化が知られている。
【０００４】
但し、撮影光学系たるズームレンズにおいて、可視光領域から赤外光領域の全領域にわたる結像倍率差を補正することは困難である。可視光領域での撮影を想定して設計されたズームレンズを、上記可視光領域から赤外領域まで撮影可能な撮像装置に装着して赤外領域で使用すると、赤外領域の結像倍率差によって周辺解像力が低下する問題がある。
【０００５】
上記問題を解決する為の手段として、ズームレンズについて、可視光領域から赤外光領域の全域に渡り結像倍率差を抑制する必要がある。その為には、レンズに蛍石等異常分散性を持つ低分散硝種を多数使用する必要があり、レンズが高価になったり小型軽量化が困難となる。
【０００６】
特許文献１は、人間の眼の使用環境（明所と暗所）に応じた感度の変化を考慮し、倍率色収差の色バランスを変えたいという課題に対するアイデアである。レンズ系の中にアフォーカル光学系を設け、アフォーカル光学系の中に位置する概略ノンパワーレンズが移動するとしている。
【０００７】
また、特許文献２では、撮影レンズの光路中に、被写体光を可視光領域と赤外光領域に分離する為の色分離プリズムと、赤外光路中には可視光領域と赤外光領域の結像倍率差を補正する為の補正レンズが配置されている。前記補正レンズは、可視光と赤外光の映像を精度よく合わせる事を可能としている。
【先行技術文献】
【特許文献】
【０００８】
【特許文献１】特開2002-287019号公報
【特許文献２】特開2005-128485号公報
【発明の概要】
【発明が解決しようとする課題】
【０００９】
特許文献１では、人間の眼の使用環境（明所と暗所）に応じた感度の変化を考慮した倍率色収差の色バランスを変えたいという可視光領域の課題であり、赤外領域の結像倍率差によって周辺解像力が低下する課題は解決されない。また、アフォーカル光学系を撮影レンズの中に別途設けなければならないという課題、また、ズームレンズにおけるズーム時等の倍率色収差の変動に関しては課題が残る。
【００１０】
また、特許文献２では、撮影レンズの光路中に色分離プリズムと、分離後に結像倍率補正の為の光学系を各々設ける必要があり、システムの小型化が困難である。
【００１１】
そこで、本発明は、可視光領域から赤外光領域までの赤外領域の結像倍率差に起因する周辺解像力の低下を改善し、システムの小型化が可能なズームレンズ及び撮影システムを提供することを目的とする。
【課題を解決するための手段】
【００１２】
上記の目的を達成するために、本発明に係るズームレンズおよびそれを有する撮像装置は、
可視光及び赤外光の波長領域の撮影を可能とする撮像装置において、
前記撮像装置は物体側から順に、撮像レンズと、被写体の赤外領域の結像倍率を調整するために光軸方向に移動可能な光学素子と、被写体像が結像する撮像素子からなる事を特徴とし、
前記撮像レンズはズーム倍率を可変するズームレンズと、被写体の結像位置を可変するフォーカスレンズと、入射光量を可変する絞り機構を備える事を特徴とする撮像レンズであり、前記光学素子は撮像装置の記憶部にズームレンズの位置、フォーカスレンズの位置、絞りの大きさに対応する前記光学素子の移動量が記載された補正情報を元に、前記撮像レンズのズームレンズの位置、フォーカスレンズの位置、絞りの大きさに応じて前記光学素子の移動量を決定し移動可能とすることを特徴とする。
【００１３】
本発明の更なる目的又はその他の特徴は、以下、添付の図面を参照して説明される好ましい実施例等によって明らかにされる。
【発明の効果】
【００１４】
本発明によれば、赤外領域の結像倍率差に起因する周辺解像力の低下を改善し、システムの小型化が可能なズームレンズ及び撮影システムの提供が可能となる。
【図面の簡単な説明】
【００１５】
【図１】数値実施例１の断面図
【図２】数値実施例１のワイド端における収差図
【図３】数値実施例１のテレ端における収差図
【図４】数値実施例１のワイド端における収差調整後の収差図
【図５】数値実施例1のテレ端における収差調整後の収差図
【図６】数値実施例2の断面図
【図７】数値実施例2のワイド端における収差図
【図８】数値実施例2のテレ端における収差図
【図９】数値実施例2のワイド端における収差調整後の収差図
【図１０】数値実施例2のテレ端における収差調整後の収差図
【図１１】数値実施例3の断面図
【図１２】数値実施例3のワイド端における収差図
【図１３】数値実施例3のテレ端における収差図
【図１４】数値実施例3のワイド端における収差調整後の収差図
【図１５】数値実施例3のテレ端における収差調整後の収差図
【図１６】数値実施例4の断面図
【図１７】数値実施例4のワイド端における収差図
【図１８】数値実施例4のテレ端における収差図
【図１９】数値実施例4のワイド端における収差調整後の収差図
【図２０】数値実施例4のテレ端における収差調整後の収差図
【図２１】数値実施例5の断面図
【図２２】数値実施例5のワイド端における収差図
【図２３】数値実施例5のテレ端における収差図
【図２４】数値実施例5のワイド端における収差調整後の収差図
【図２５】数値実施例5のテレ端における収差調整後の収差図
【図２６】数値実施例6の断面図
【図２７】数値実施例6のワイド端における収差図
【図２８】数値実施例6のテレ端における収差図
【図２９】数値実施例6のワイド端における収差調整後の収差図
【図３０】数値実施例6のテレ端における収差調整後の収差図
【図３１】撮像システムの説明図
【発明を実施するための形態】
【００１６】
以下、本発明の撮像システムの実施例について説明する。図３１は本件の撮像装置の概略図である。撮像レンズはカメラ系に対して着脱可能になっている。
【００１７】
撮像レンズはレンズ群（フォーカスレンズ群、光量調節絞り、結像レンズ群）を有している。カメラ系は光学素子と撮像レンズによって形成された被写体像を受光するＣＣＤセンサやＣＭＯＳセンサ等の撮像素子（光電変換素子）からなる。また、撮像レンズとカメラ系のインターフェース部には撮像レンズのフォーカス位置情報、ズーム位置情報、絞りの大きさの情報を伝達する情報伝達部を有している。また、スイッチはユーザーがレンズを取り付けた際にそのことをカメラ系に知らせる機能を有している。また、カメラ系は光学素子の光軸方向への移動量の算出を行い、作動指示を出すＣＰＵを有している。
【００１８】
ＣＰＵはインターフェースを通して得られた撮像レンズの情報と、別途メモリに保存されたズームレンズの位置、フォーカスレンズの位置、絞りの大きさに対応する前記光学素子の移動量が記載された補正情報を元に光学素子の光軸方向への移動量の算出を行う。
【００１９】
更に以下の条件式を満足する事が望ましい。
0.01<L2/L1<0.2                                                  (1)
【００２０】
条件式(1)は光学素子の配置箇所について規定したものである。L1は絞りから撮像素子までの距離を示し、L2は前記光学素子から撮像素子までの距離を示す。距離軸上光線の高さに対する軸外光線の高さの比率が大きい箇所に配置することが好ましい。これにより、光学素子を光軸方向に移動させた際に、軸外光線が光学素子を通過する光線高さが変化することで、赤外領域による結像倍率のバランスを変化させる事が可能となる。
【００２１】
条件式(1)のL1が小さくなり、L2が大きくなると、式の上限に達する。式の上限に達すると軸上光線の高さに対する軸外光線の高さの比率が小さい箇所に配置することになるため、光学素子を軸上方向に移動させた際に、軸上色収差や球面収差が変化してしまう。また、赤外領域の結像倍率のバランスを十分に変化させる事が出来ない。
【００２２】
条件式(1)のL1が大きくなり、L2が小さくなると、式の下限に達する。式の下限に達すると光学素子を軸上方向に移動させる際に、十分な移動スペースを確保できないため赤外領域の結像倍率のバランスを十分に変化させる事が出来ない。更に好ましくは以下の条件式(3)を満足する事が好ましい。
0.05<L2/L1<0.14                                                        (2)
更に以下の条件式を満足する事が望ましい。
3.2 x 10-3<|fp/funit|<1.0 x 10-1                                     (3)
【００２３】
条件式(3)は、前記光学素子のパワー配置について規定したものである。funitは前記光学素子の全系の焦点距離を示し、fpは前記光学素子の正レンズの合成焦点距離を示している。前記光学素子の正レンズの合成焦点距離を適切に規定することで赤外領域の結像倍率のバランスを所定の分変化させる事が出来る。
【００２４】
条件式(3)のfunitが大きくなり、fpが小さくなると、式の下限に達する。式の下限に達すると、前記光学素子の正レンズの曲率がきつくなるため、光学素子を光軸方向に移動させた際に、基準波長の諸収差が変化してしまう。
【００２５】
条件式(3)のfunitが小さくなり、fpが大きくなると、式の上限に達する。式の上限に達すると、学素子を軸上方向に移動させる際に、十分な移動スペースを確保できないため赤外領域の結像倍率のバランスを十分に変化させる事が出来ない。
更に好ましくは以下の条件式を満足する事が好ましい。
8.0 x 10-3<|fp/funit|<2.0 x 10-2                                     (4)
更に以下の条件式を満足する事が望ましい。
2.0 x 10-3 <|θfsp-θfsn|< 2.3 x 10-2                         (7)
【００２６】
条件式(7)は、光学素子の硝材について規定したものである。θfspは光学素子内部の正の屈折力のレンズの平均の部分分散比を示し、θfsnは光学素子内部の負の屈折力のレンズの平均の部分分散比を示している。光学素子内部の正の屈折力のレンズと負の屈折力のレンズの部分分散比を適切に設定することで、所定の量だけ結像倍率のバランスを変化させる事が出来る。
【００２７】
ここで、部分分散比θfsは、f線(486nm)における屈折率をＮf、s線(852nm)における屈折率をＮs、Ｃ線(656nm)における屈折率をＮＣとしたとき、条件式(8)で表わされる。
θfs＝（Ｎf−Ｎs）／（Ｎf−ＮＣ）                              (8)
【００２８】
条件式(7)のθfspとθfsnの部分分散比の差が小さくなると、式の下限に達する。式の下限に達すると、正の屈折力のレンズと負の屈折力のレンズの赤外領域の屈折率差が生じない為、赤外領域の結像倍率のバランスを十分に変化させることが出来ない。
【００２９】
条件式(7)のθfspとθfsnの部分分散比の差が大きくなると、式の上限に達する。式の上限に達すると、正の屈折力のレンズと負の屈折力のレンズの可視光領域の屈折率差が大きくなるため、赤外領域の結像倍率の変化以上に可視光領域結像倍率が変化してしまう。更に好ましくは以下の条件式を満足する事が好ましい。
3.0 x 10-3 <|θfsp-θfsn|<6.0 x 10-3                                 (9)
更に以下の条件式を満足する事が望ましい。
1.0 x 10-3 <|Z/fdoe|<1.0 x 10-1                                      （9）
【００３０】
条件式(9)は、撮像レンズのズーム倍率と光学素子内部の回折光学素子のパワーの割合を示している。Zは撮像レンズのズーム倍率、fdoeは光学素子の回折光学素子の焦点距離を示す。ここで、回折部の回折格子の形状を、基準波長(d線)をλd、光軸からの距離をh、位相をφ(h)とし、以下の条件式(10)なる式で表わした時、fdoeは２次項の係数C2より以下の条件式(11)で表わされる。また、回折光学素子の分散値は条件式(12)で表わされ通常ガラスの分散値が15〜100であるのに対して-3.2と符号が逆転しており、可視光領域に対する赤外領域の屈折率が高い事を意味している。
【００３１】
これにより、光学素子を光軸方向に移動させた際に、軸外光線が光学素子を通過する光線高さが変化する際、可視光領域の波長に対して赤外領域の波長がより屈折され収差が変化する。
φ(h)=(2π/λd)・(C2・h2+C4・h4＋・・・・・・C2i・h2i)         (10)
fdoe = −1/(2・C2)                                           (11)
νdoe = λe / (λf - λc) =-3.20                               (12)
【００３２】
条件式(9)のZが小さくなり、fdoeが大きくなると、式の下限に達する。式の下限に達すると光学素子内部の回折光学素子のパワーが小さくなり、光学素子の移動量に対する、結像倍率の変化量が小さくなってしまう。その結果、光学素子の移動量が増えるため、撮像システムが大型化してしまう。
【００３３】
条件式(9)のZが大きくなり、fdoeが小さくなると、式の上限に達する。式の上限に達すると光学素子内部の回折光学素子のパワーが大きくなり、光学素子の移動量に対する、結像倍率の変化量が大きくなってしまう。その結果、高い精度で結像倍率差のバランスを調整出来なくなってしまう。更に好ましくは以下の条件式を満足する事が好ましい。
4.5 x 10-3 <|Z/fdoe|<8.0 x 10-3                                      (13)
更に以下の条件式を満足する事が望ましい。
-2.1000x10-3xνd+0.693  < θgf                                     (14)
0.555 < θgf <  0.9000                                               (15)
1.0 x 10-2 <|fGNL/funit| <1.0 x 10-1                                (16)
【００３４】
ここで、νdはレンズGNLのアッベ数、 θgfはレンズGNLの部分分散比 、fGNLは前記光学素子に含まれるレンズGNLの焦点距離を示す。ここで、部分分散比θgfは、f線(486nm)における屈折率をＮf、g線(852nm)における屈折率をＮg、Ｃ線(656nm)における屈折率をＮcとしたとき、条件式(17)で表わされる。
θgf＝（Ｎg−Ｎf）／（Ｎf−Ｎc）                               (17)
【００３５】
条件式(16)は、光学素子の全系のパワーと光学素子内部のレンズGNLのパワーの割合を示している。fGNLはレンズGNLの焦点距離を示す。前記光学素子のレンズGNLの焦点距離を適切に規定することで赤外領域の結像倍率のバランスを所定の分変化させる事が出来る。
【００３６】
条件式(16)のfunitが大きくなり、fGNLが小さくなると、式の下限に達する。式の下限に達すると、前記光学素子のレンズGNLの曲率がきつくなるため、光学素子を光軸方向に移動させた際に、基準波長の諸収差が変化してしまう
条件式(16)のfunitが小さくなり、fGNLが大きくなると、式の上限に達する。式の上限に達すると、光学素子の移動量に対する、結像倍率の変化量が小さくなってしまう。その結果、光学素子の移動量が増えるため、撮像システムが大型化してしまう。更に好ましくは以下の条件式を満足する事が好ましい。
1.5 x 10-2 <|fGNL/funit| <1.0 x 10-1                                 (18)
【００３７】
このように本発明により、高い光学性能を有する撮像装置を実現している。
【００３８】
以下に本発明の実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、Ｎｉ，νｉは第ｉ番目の光学部材の屈折率とアッベ数である。
【００３９】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２をそれぞれ非球面係数としたとき、次式で表している。
【００４０】
【数１】
2017203913.tif 000003
【００４１】
で表される。又、例えば「ｅ−Ｚ」は「×１０−Ｚ」を意味する。＊印は非球面であることを示している。
【００４２】
〈実施例１〉
図１は本発明の実施例１としての数値実施例１の広角端におけるレンズ断面図である。図２、図３に、数値実施例１の広角端、望遠端における収差図を示す。また、図４、図５に、数値実施例１の広角端、望遠端における赤外領域の結像倍率差を調整後の収差図を示す。収差図において、球面収差は、ｇ線とｅ線とＣ線とＦ線と850nmを示している。非点収差はｅ線のメリディオナル像面（ｍｅｒｉ）とｅ線のサジタル像面（ｓａｇｉ）を示している。倍率色収差はｇ線とＣ線とＦ線と850nmによってあらわしている。ＦｎｏはＦナンバー、ωは半画角である。すべての収差図において、球面収差は０．5ｍｍ、非点収差は０．４ｍｍ、歪曲は５％、倍率色収差は、０．1ｍｍのスケールで描かれている。
【００４３】
図１において、U1は撮像レンズであるズームレンズであり、ＳＰは絞り、U2は光学素子、IPは撮像素子である。U2が撮像レンズのズーム、フォーカス、絞りのステート変化に応じて光軸方向に移動する事で赤外領域の結像倍率を調整する。本実施例では凹凸の接合レンズを使用しているが、更に複数のレンズによって構成されていても同様な効果を発揮する。
【００４４】
本実施例の各条件式対応値を表１に示す。本数値実施例はいずれの条件式も満足している。光学素子を光軸方向に移動させる事で、赤外領域の結像倍率差を良好に補正し、高い光学性能を達成している。
【００４５】
〈実施例２〉
図６は本発明の実施例2としての数値実施例2の広角端におけるレンズ断面図である。図７、図８に、数値実施例2の広角端、望遠端における収差図を示す。また、図９、図１０に、数値実施例2の広角端、望遠端における赤外領域の結像倍率差を調整後の収差図を示す。収差図において、球面収差は、ｇ線とｅ線とＣ線とＦ線と850nmを示している。非点収差はｅ線のメリディオナル像面（ｍｅｒｉ）とｅ線のサジタル像面（ｓａｇｉ）を示している。倍率色収差はｇ線とＣ線とＦ線と850nmによってあらわしている。
【００４６】
ＦｎｏはＦナンバー、ωは半画角である。すべての収差図において、球面収差は０．5ｍｍ、非点収差は０．４ｍｍ、歪曲は５％、倍率色収差は、０．1ｍｍのスケールで描かれている。
【００４７】
図６において、U1は撮像レンズであるズームレンズであり、ＳＰは絞り、U2は光学素子、IPは撮像素子である。U2が撮像レンズのズーム、フォーカス、絞りのステート変化に応じて光軸方向に移動する事で赤外領域の結像倍率を調整する。本実施例では凹凸の接合レンズを使用しているが、複数のレンズによって構成されていても同様な効果を示す。
【００４８】
本実施例の各条件式対応値を表１に示す。本数値実施例はいずれの条件式も満足している。光学素子を光軸方向に移動させる事で、赤外領域の結像倍率差を良好に補正し、高い光学性能を達成している。
【００４９】
〈実施例３〉
図１１は本発明の実施例3としての数値実施例3の広角端におけるレンズ断面図である。図１２、図１３に、数値実施例3の広角端、望遠端における収差図を示す。また、図１４、図１５に、数値実施例3の広角端、望遠端における赤外領域の結像倍率差を調整後の収差図を示す。収差図において、球面収差は、ｇ線とｅ線とＣ線とＦ線と850nmを示している。非点収差はｅ線のメリディオナル像面（ｍｅｒｉ）とｅ線のサジタル像面（ｓａｇｉ）を示している。倍率色収差はｇ線とＣ線とＦ線と850nmによってあらわしている。
【００５０】
ＦｎｏはＦナンバー、ωは半画角である。すべての収差図において、球面収差は０．5ｍｍ、非点収差は０．４ｍｍ、歪曲は５％、倍率色収差は、０．1ｍｍのスケールで描かれている。
【００５１】
図１１において、U1は撮像レンズであるズームレンズであり、ＳＰは絞り、U2は光学素子、IPは撮像素子である。U2が撮像レンズのズーム、フォーカス、絞りのステート変化に応じて光軸方向に移動する事で赤外領域の結像倍率を調整する。本実施例ではノンパワーの平板レンズ間に回折光学素子を挟んでいるが、異なる面に回折光学素子を設定しても同様な効果を発揮する。
【００５２】
本実施例の各条件式対応値を表１に示す。本数値実施例はいずれの条件式も満足している。光学素子を光軸方向に移動させる事で、赤外領域の結像倍率差を良好に補正し、高い光学性能を達成している。
【００５３】
〈実施例４〉
図１６は本発明の実施例4としての数値実施例4の広角端におけるレンズ断面図である。図１７、図１８に、数値実施例4の広角端、望遠端における収差図を示す。また、図１９、図２０に、数値実施例4の広角端、望遠端における赤外領域の結像倍率差を調整後の収差図を示す。収差図において、球面収差は、ｇ線とｅ線とＣ線とＦ線と850nmを示している。非点収差はｅ線のメリディオナル像面（ｍｅｒｉ）とｅ線のサジタル像面（ｓａｇｉ）を示している。倍率色収差はｇ線とＣ線とＦ線と850nmによってあらわしている。
【００５４】
ＦｎｏはＦナンバー、ωは半画角である。すべての収差図において、球面収差は０．5ｍｍ、非点収差は０．４ｍｍ、歪曲は５％、倍率色収差は、０．1ｍｍのスケールで描かれている。
【００５５】
図１６において、U1は撮像レンズであるズームレンズであり、ＳＰは絞り、U2は光学素子、IPは撮像素子である。U2が撮像レンズのズーム、フォーカス、絞りのステート変化に応じて光軸方向に移動する事で赤外領域の結像倍率を調整する。本実施例ではノンパワーの平板レンズ間に回折光学素子を挟んでいるが、異なる面に回折光学素子を設定しても同様な効果を発揮する。
【００５６】
本実施例の各条件式対応値を表１に示す。本数値実施例はいずれの条件式も満足している。光学素子を光軸方向に移動させる事で、赤外領域の結像倍率差を良好に補正し、高い光学性能を達成している。
【００５７】
〈実施例５〉
図２１は本発明の実施例5としての数値実施例5の広角端におけるレンズ断面図である。図２２、図２３に、数値実施例5の広角端、望遠端における収差図を示す。また、図２４、図２５に、数値実施例5の広角端、望遠端における赤外領域の結像倍率差を調整後の収差図を示す。収差図において、球面収差は、ｇ線とｅ線とＣ線とＦ線と850nmを示している。非点収差はｅ線のメリディオナル像面（ｍｅｒｉ）とｅ線のサジタル像面（ｓａｇｉ）を示している。倍率色収差はｇ線とＣ線とＦ線と850nmによってあらわしている。
【００５８】
ＦｎｏはＦナンバー、ωは半画角である。すべての収差図において、球面収差は０．5ｍｍ、非点収差は０．４ｍｍ、歪曲は５％、倍率色収差は、０．1ｍｍのスケールで描かれている。
【００５９】
図２１において、U1は撮像レンズであるズームレンズであり、ＳＰは絞り、U2は光学素子、IPは撮像素子である。U2が撮像レンズのズーム、フォーカス、絞りのステート変化に応じて光軸方向に移動する事で赤外領域の結像倍率を調整する。実施例では凹レンズ間に所定のレンズGNLを挟んでいるが、異なる構成にてレンズGNLを配置しても同様な効果を発揮する。
【００６０】
本実施例の各条件式対応値を表１に示す。本数値実施例はいずれの条件式も満足している。光学素子を光軸方向に移動させる事で、赤外領域の結像倍率差を良好に補正し、高い光学性能を達成している。
【００６１】
〈実施例６〉
図２６は本発明の実施例6としての数値実施例6の広角端におけるレンズ断面図である。図２７、図２８に、数値実施例6の広角端、望遠端における収差図を示す。また、図２９、図３０に、数値実施例6の広角端、望遠端における赤外領域の結像倍率差を調整後の収差図を示す。収差図において、球面収差は、ｇ線とｅ線とＣ線とＦ線と850nmを示している。非点収差はｅ線のメリディオナル像面（ｍｅｒｉ）とｅ線のサジタル像面（ｓａｇｉ）を示している。倍率色収差はｇ線とＣ線とＦ線と850nmによってあらわしている。
【００６２】
ＦｎｏはＦナンバー、ωは半画角である。すべての収差図において、球面収差は０．5ｍｍ、非点収差は０．４ｍｍ、歪曲は５％、倍率色収差は、０．1ｍｍのスケールで描かれている。
【００６３】
図２６において、U1は撮像レンズであるズームレンズであり、ＳＰは絞り、U2は光学素子、IPは撮像素子である。U2が撮像レンズのズーム、フォーカス、絞りのステート変化に応じて光軸方向に移動する事で赤外領域の結像倍率を調整する。実施例では凹レンズ間に所定のレンズGNLを挟んでいるが、異なる構成にてレンズGNLを配置しても同様な効果を発揮する。
【００６４】
本実施例の各条件式対応値を表１に示す。本数値実施例はいずれの条件式も満足している。光学素子を光軸方向に移動させる事で、赤外領域の結像倍率差を良好に補正し、高い光学性能を達成している。
【００６５】
【表１】
2017203913.tif 000004
【００６６】
(数値実施例1)
単位 mm
面データ
面番号       r        d      nd         vd       有効径
1        177.323   12.59   1.49700    81.5      115.38
2      -3740.642    0.20                        114.82
3        159.830   12.52   1.49700    81.5      111.03
4       1657.409    5.00                        109.36
5       -752.660    2.50   1.85026    32.3      107.82
6      -3119.033   14.16                        106.66
7        208.888   12.32   1.59522    67.7       94.74
8      -1667.698    0.50                         91.33
9        141.398   11.24   1.49700    81.5       84.01
10       -525.271    2.00   1.83400    37.2       81.21
11        319.655    2.19                         77.44
12        514.660    6.30   1.72047    34.7       76.17
13       -347.632    2.00   1.81600    46.6       74.38
14        104.638  (可変)                         68.80
15        193.039    1.50   1.77250    49.6       40.31
16         82.681    3.31                         39.31
17       -304.014    1.40   1.59522    67.7       39.24
18         47.235    0.25                         38.58
19         46.358    4.27   1.80518    25.4       38.72
20        137.504    3.85                         38.43
21        -84.999    1.30   1.59522    67.7       38.39
22        135.703  (可変)                         38.89
23        581.424    4.58   1.59522    67.7       44.26
24        -91.455    0.30                         44.53
25         99.972    6.59   1.49700    81.5       44.54
26        -97.413    1.40   1.83400    37.2       44.32
27        356.906  (可変)                         44.16
28(絞り)    ∞       0.20                         44.21
29         50.973    6.92   1.49700    81.5       44.44
30       -756.855    0.20                         44.00
31         86.689    5.49   1.49700    81.5       42.52
32       -168.466    2.96                         41.78
33       -130.749    1.80   1.81600    46.6       39.21
34        175.075   33.66                         37.85
35         74.831    1.80   1.77250    49.6       24.48
36         43.368    4.27   1.59551    39.2       23.59
37        -61.930    1.42                         23.05
38        -51.861    1.80   1.81600    46.6       21.89
39        104.314   37.92                         21.56
40        -29.889    1.50   1.81600    46.6       28.20
41         82.817    7.90   1.71736    29.5       31.97
42        -47.448    0.10                         34.01
43         80.932    5.23   1.49700    81.5       36.94
44       -111.506   35.00                         37.23
45          ∞       1.00   1.80518    25.4       41.29
46         40.000    7.50   1.81600    46.6       41.71
47          ∞     (可変)                         41.80
像面        ∞   
【００６７】
各種データ
ズーム比      3.00 
焦点距離     200.00   260.00   340.00   480.00   600.00   
Fナンバー      4.59     4.59     4.60     4.60     5.20      
画角           6.18     4.76     3.64     2.58     2.07     
像高          21.65    21.65    21.65    21.65    21.65   
レンズ全長   359.45   359.45   359.45   359.45   359.45    
BF            14.99    14.99    14.99    14.99    14.99    
d14            2.14    23.35    40.53    57.30    65.62   
d22           49.44    42.64    33.28    16.30     1.25   
d27           23.92     9.52     1.70     1.90     8.63    
d47           14.99    14.99    14.99    14.99    14.99    
入射瞳位置   247.56   349.66   456.53   584.36   662.57   
射出瞳位置  -169.32  -169.32  -169.32  -169.32  -169.32   
前側主点位置 230.54   242.90   169.35  -185.66  -690.59   
後側主点位置-185.01  -245.01  -325.01  -465.01  -585.01   
ズームレンズ群データ
群  始面    焦点距離  レンズ構成長  前側主点位置  後側主点位置
1    1     252.24        83.52       -66.85        -97.38
2   15     -48.65        15.87         8.22         -3.70
3   23     142.51        12.87        -1.52         -9.58
4   28     166.60       156.69       -15.68       -183.65
単レンズデータ
レンズ  始面  焦点距離
1       1    340.01
2       3    353.89
3       5   -1158.84
4       7    311.55
5       9    224.77
6      10   -236.51
7      12    286.92
8      13    -97.87
9      15   -187.44
10      17    -68.34
11      19     84.29
12      21    -87.30
13      23    132.64
14      25    100.09
15      26    -91.05
16      29     96.08
17      31    115.66
18      33    -91.02
19      35   -136.29
20      36     43.23
21      38    -42.02
22      40    -26.62
23      41     42.81
24      43     94.94
25      45    -49.22
26      46     48.77
【００６８】
(数値実施例2)
単位 mm
面データ
面番号       r        d      nd         vd       有効径
1        177.323   12.59   1.49700    81.5      115.38
2      -3740.642    0.20                        114.82
3        159.830   12.52   1.49700    81.5      111.03
4       1657.409    5.00                        109.36
5       -752.660    2.50   1.85026    32.3      107.82
6      -3119.033   14.16                        106.66
7        208.888   12.32   1.59522    67.7       94.74
8      -1667.698    0.50                         91.33
9        141.398   11.24   1.49700    81.5       84.01
10       -525.271    2.00   1.83400    37.2       81.21
11        319.655    2.19                         77.44
12        514.660    6.30   1.72047    34.7       76.17
13       -347.632    2.00   1.81600    46.6       74.38
14        104.638  (可変)                         68.80
15        193.039    1.50   1.77250    49.6       40.31
16         82.681    3.31                         39.31
17       -304.014    1.40   1.59522    67.7       39.24
18         47.235    0.25                         38.58
19         46.358    4.27   1.80518    25.4       38.72
20        137.504    3.85                         38.43
21        -84.999    1.30   1.59522    67.7       38.39
22        135.703  (可変)                         38.89
23        581.424    4.58   1.59522    67.7       44.26
24        -91.455    0.30                         44.53
25         99.972    6.59   1.49700    81.5       44.54
26        -97.413    1.40   1.83400    37.2       44.32
27        356.906  (可変)                         44.16
28(絞り)    ∞       0.20                         44.21
29         50.039    6.88   1.49700    81.5       44.44
30      -1364.013    0.20                         44.00
31         85.704    5.55   1.49700    81.5       42.57
32       -167.252    3.07                         41.83
33       -130.173    1.80   1.81600    46.6       39.15
34        172.321   32.87                         37.79
35         78.225    1.80   1.77250    49.6       24.82
36         45.868    4.22   1.59551    39.2       23.95
37        -63.770    1.54                         23.42
38        -52.727    1.80   1.81600    46.6       22.18
39        118.643   37.24                         21.59
40        -29.193    1.50   1.81600    46.6       27.66
41         87.625    5.81   1.71736    29.5       31.29
42        -47.785    0.10                         32.29
43         84.189    4.92   1.49700    81.5       34.97
44       -101.047   35.00                         35.30
45          ∞       1.00   1.71736    29.5       40.62
46         40.000    7.50   1.72916    54.7       41.18
47          ∞     (可変)                         41.32
像面        ∞   
【００６９】
各種データ
ズーム比      3.00 
焦点距離     200.00   260.00   340.00   480.00   600.00   
Fナンバー      4.59     4.59     4.60     4.60     5.20    
画角           6.18     4.76     3.64     2.58     2.07     
像高          21.65    21.65    21.65    21.65    21.65    
レンズ全長   355.76   355.76   355.76   355.76   355.76   
BF            15.00    15.00    15.00    15.00    15.00    
d14            2.14    23.35    40.53    57.30    65.62      
d22           49.44    42.64    33.28    16.30     1.25     
d27           23.92     9.52     1.70     1.90     8.63    
d47           15.00    15.00    15.00    15.00    15.00     
入射瞳位置   247.56   349.66   456.53   584.36   662.57    
射出瞳位置  -147.84  -147.84  -147.84  -147.84  -147.84   
前側主点位置 201.91   194.52    86.61  -350.56  -948.25  
後側主点位置-185.00  -245.00  -325.00  -465.00  -585.00  
ズームレンズ群データ
群  始面    焦点距離  レンズ構成長  前側主点位置  後側主点位置
1    1     252.24        83.52       -66.85        -97.38
2   15     -48.65        15.87         8.22         -3.70
3   23     142.51        12.87        -1.52         -9.58
4   28     162.86       152.99       -38.84       -179.19
単レンズデータ
レンズ  始面  焦点距離
1       1    340.01
2       3    353.89
3       5   -1158.84
4       7    311.55
5       9    224.77
6      10   -236.51
7      12    286.92
8      13    -97.87
9      15   -187.44
10      17    -68.34
11      19     84.29
12      21    -87.30
13      23    132.64
14      25    100.09
15      26    -91.05
16      29     96.99
17      31    114.52
18      33    -90.17
19      35   -146.42
20      36     45.18
21      38    -44.30
22      40    -26.55
23      41     43.55
24      43     92.96
25      45    -55.32
26      46     54.62
【００７０】
(数値実施例3)
単位 mm
面データ
面番号       r        d      nd         vd       有効径
1        177.323   12.59   1.49700    81.5      115.38
2      -3740.642    0.20                        114.82
3        159.830   12.52   1.49700    81.5      111.03
4       1657.409    5.00                        109.36
5       -752.660    2.50   1.85026    32.3      107.82
6      -3119.033   14.16                        106.66
7        208.888   12.32   1.59522    67.7       94.74
8      -1667.698    0.50                         91.33
9        141.398   11.24   1.49700    81.5       84.01
10       -525.271    2.00   1.83400    37.2       81.21
11        319.655    2.19                         77.44
12        514.660    6.30   1.72047    34.7       76.17
13       -347.632    2.00   1.81600    46.6       74.38
14        104.638  (可変)                         68.80
15        193.039    1.50   1.77250    49.6       40.31
16         82.681    3.31                         39.31
17       -304.014    1.40   1.59522    67.7       39.24
18         47.235    0.25                         38.58
19         46.358    4.27   1.80518    25.4       38.72
20        137.504    3.85                         38.43
21        -84.999    1.30   1.59522    67.7       38.39
22        135.703  (可変)                         38.89
23        581.424    4.58   1.59522    67.7       44.26
24        -91.455    0.30                         44.53
25         99.972    6.59   1.49700    81.5       44.54
26        -97.413    1.40   1.83400    37.2       44.32
27        356.906  (可変)                         44.16
28(絞り)    ∞       4.98                         44.21
29         50.772    6.53   1.49700    81.5       44.64
30        774.645    0.33                         44.16
31         88.018    5.44   1.49700    81.5       43.05
32       -182.987    5.04                         42.37
33       -132.178    1.80   1.81600    46.6       38.29
34        174.115   32.70                         37.10
35        119.024    1.80   1.77250    49.6       25.93
36         66.189    7.46   1.59551    39.2       25.26
37        -64.913    1.17                         23.83
38        -55.010    1.80   1.81600    46.6       23.34
39       1573.838   32.95                         23.50
40        -29.815    1.50   1.81600    46.6       26.75
41        132.563    5.00   1.71736    29.5       29.48
42        -56.308    5.00                         30.60
43        118.325    8.41   1.49700    81.5       35.04
44        -82.734   45.00                         36.25
45          ∞       2.50   1.51633    64.1       42.55
46(回折)    ∞       2.50   1.51633    64.1       42.77
47          ∞     (可変)                         42.88
像面        ∞   
【００７１】
非球面データ
第46面(回折面)
A 2=-8.00000e-004  
各種データ
ズーム比      3.00 
焦点距離     200.00   260.00   340.00   480.00   600.00    
Fナンバー      4.59     4.59     4.60     4.60     5.20    
画角           6.18     4.76     3.64     2.58     2.07     
像高          21.65    21.65    21.65    21.65    21.65    
レンズ全長   366.67   366.67   366.67   366.67   366.67  
BF             7.00     7.00     7.00     7.00     7.00     
d14            2.14    23.35    40.53    57.30    65.62   
d22           49.44    42.64    33.28    16.30     1.25    
d27           23.92     9.52     1.70     1.90     8.63     
d47            7.00     7.00     7.00     7.00     7.00     
入射瞳位置   247.56   349.66   456.53   584.36   662.57    
射出瞳位置  -221.65  -221.65  -221.65  -221.65  -221.65  
前側主点位置 272.62   314.02   290.96    56.71  -311.88    
後側主点位置-193.00  -253.00  -333.00  -473.00  -593.00  
ズームレンズ群データ
群  始面    焦点距離  レンズ構成長  前側主点位置  後側主点位置
1    1     252.24        83.52       -66.85        -97.38
2   15     -48.65        15.87         8.22         -3.70
3   23     142.51        12.87        -1.52         -9.58
4   28     172.41       171.91        20.35       -198.58
単レンズデータ
レンズ  始面  焦点距離
1       1    340.01
2       3    353.89
3       5   -1158.84
4       7    311.55
5       9    224.77
6      10   -236.51
7      12    286.92
8      13    -97.87
9      15   -187.44
10      17    -68.34
11      19     84.29
12      21    -87.30
13      23    132.64
14      25    100.09
15      26    -91.05
16      29    108.68
17      31    120.03
18      33    -91.37
19      35   -195.00
20      36     55.89
21      38    -64.77
22      40    -29.55
23      41     55.27
24      43     99.06
25      45    625.00
26      46    625.00
【００７２】
(数値実施例4)
単位 mm
面データ
面番号       r        d      nd         vd       有効径
1        177.323   12.59   1.49700    81.5      115.38
2      -3740.642    0.20                        114.82
3        159.830   12.52   1.49700    81.5      111.03
4       1657.409    5.00                        109.36
5       -752.660    2.50   1.85026    32.3      107.82
6      -3119.033   14.16                        106.66
7        208.888   12.32   1.59522    67.7       94.74
8      -1667.698    0.50                         91.33
9        141.398   11.24   1.49700    81.5       84.01
10       -525.271    2.00   1.83400    37.2       81.21
11        319.655    2.19                         77.44
12        514.660    6.30   1.72047    34.7       76.17
13       -347.632    2.00   1.81600    46.6       74.38
14        104.638  (可変)                         68.80
15        193.039    1.50   1.77250    49.6       40.31
16         82.681    3.31                         39.31
17       -304.014    1.40   1.59522    67.7       39.24
18         47.235    0.25                         38.58
19         46.358    4.27   1.80518    25.4       38.72
20        137.504    3.85                         38.43
21        -84.999    1.30   1.59522    67.7       38.39
22        135.703  (可変)                         38.89
23        581.424    4.58   1.59522    67.7       44.26
24        -91.455    0.30                         44.53
25         99.972    6.59   1.49700    81.5       44.54
26        -97.413    1.40   1.83400    37.2       44.32
27        356.906  (可変)                         44.16
28(絞り)    ∞       0.20                         44.21
29         50.799    6.79   1.49700    81.5       44.44
30        907.580    0.48                         43.88
31         88.536    5.39   1.49700    81.5       42.71
32       -183.611    4.96                         42.02
33       -131.877    1.80   1.81600    46.6       38.03
34        177.951   33.19                         36.86
35        110.872    1.80   1.77250    49.6       25.40
36         66.385    7.35   1.59551    39.2       24.74
37        -65.119    1.24                         23.27
38        -54.509    1.80   1.81600    46.6       22.69
39        502.199   32.64                         22.85
40        -29.650    1.50   1.81600    46.6       26.74
41        127.143    5.07   1.71736    29.5       29.59
42        -52.473    5.00                         30.67
43        115.190    8.38   1.49700    81.5       35.20
44        -86.473   45.00                         36.38
45          ∞       2.50   1.51633    64.1       42.72
46(回折)    ∞       2.50   1.51633    64.1       42.94
47          ∞     (可変)                         43.02
像面        ∞   
【００７３】
非球面データ
第46面(回折面)
A 2=-1.00000e-003  
各種データ
ズーム比      3.00 
焦点距離     200.00   260.00   340.00   480.00   600.00   
Fナンバー      4.59     4.59     4.60     4.60     5.20    
画角           6.18     4.76     3.64     2.58     2.07    
像高          21.65    21.65    21.65    21.65    21.65      
レンズ全長   361.65   361.65   361.65   361.65   361.65  
BF             6.30     6.30     6.30     6.30     6.30    
d14            2.14    23.35    40.53    57.30    65.62    
d22           49.44    42.64    33.28    16.30     1.25    
d27           23.92     9.52     1.70     1.90     8.63     
d47            6.30     6.30     6.30     6.30     6.30    
入射瞳位置   247.56   349.66   456.53   584.36   662.57   
射出瞳位置  -243.67  -243.67  -243.67  -243.67  -243.67    
前側主点位置 287.54   339.23   334.08   142.66  -177.59  
後側主点位置-193.70  -253.70  -333.70  -473.70  -593.70  
ズームレンズ群データ
群  始面    焦点距離  レンズ構成長  前側主点位置  後側主点位置
1    1     252.24        83.52       -66.85        -97.38
2   15     -48.65        15.87         8.22         -3.70
3   23     142.51        12.87        -1.52         -9.58
4   28     174.57       167.58        33.74       -201.85
単レンズデータ
レンズ  始面  焦点距離
1       1    340.01
2       3    353.89
3       5   -1158.84
4       7    311.55
5       9    224.77
6      10   -236.51
7      12    286.92
8      13    -97.87
9      15   -187.44
10      17    -68.34
11      19     84.29
12      21    -87.30
13      23    132.64
14      25    100.09
15      26    -91.05
16      29    107.67
17      31    120.63
18      33    -92.11
19      35   -216.98
20      36     56.04
21      38    -59.87
22      40    -29.19
23      41     51.98
24      43    100.48
25      45    500.00
26      46    500.00
【００７４】
(数値実施例5)
単位 mm
面データ
面番号       r        d      nd         vd       有効径
1        177.323   12.59   1.49700    81.5      115.38
2      -3740.642    0.20                        114.82
3        159.830   12.52   1.49700    81.5      111.03
4       1657.409    5.00                        109.36
5       -752.660    2.50   1.85026    32.3      107.82
6      -3119.033   14.16                        106.66
7        208.888   12.32   1.59522    67.7       94.74
8      -1667.698    0.50                         91.33
9        141.398   11.24   1.49700    81.5       84.01
10       -525.271    2.00   1.83400    37.2       81.21
11        319.655    2.19                         77.44
12        514.660    6.30   1.72047    34.7       76.17
13       -347.632    2.00   1.81600    46.6       74.38
14        104.638  (可変)                         68.80
15        193.039    1.50   1.77250    49.6       40.31
16         82.681    3.31                         39.31
17       -304.014    1.40   1.59522    67.7       39.24
18         47.235    0.25                         38.58
19         46.358    4.27   1.80518    25.4       38.72
20        137.504    3.85                         38.43
21        -84.999    1.30   1.59522    67.7       38.39
22        135.703  (可変)                         38.89
23        581.424    4.58   1.59522    67.7       44.26
24        -91.455    0.30                         44.53
25         99.972    6.59   1.49700    81.5       44.54
26        -97.413    1.40   1.83400    37.2       44.32
27        356.906  (可変)                         44.16
28(絞り)    ∞       5.00                         44.21
29         49.463    6.48   1.49700    81.5       44.65
30        697.107    0.30                         44.20
31         75.138    6.23   1.49700    81.5       42.90
32       -162.210    3.03                         42.06
33       -138.972    1.80   1.81600    46.6       39.27
34        270.528   22.04                         38.01
35        142.708    1.80   1.77250    49.6       27.29
36         33.104    5.78   1.59551    39.2       25.94
37        -59.402    0.19                         25.41
38        -55.494    1.80   1.81600    46.6       25.32
39        260.953   42.05                         24.64
40        -26.889    1.50   1.81600    46.6       26.96
41        -56.299    1.78   1.71736    29.5       28.84
42        -49.609    0.10                         29.65
43        116.174    4.26   1.49700    81.5       31.56
44        -77.922   45.00                         31.96
45          ∞       1.00   1.62588    35.7       40.63
46         60.000    9.00   1.63428    23.3       41.16
47        -60.000    1.00   1.62588    35.7       41.34
48          ∞     (可変)                         41.82
像面        ∞   
【００７５】
各種データ
ズーム比      3.00 
焦点距離     200.00   260.00   340.00   480.00   600.00    
Fナンバー      4.59     4.59     4.60     4.60     5.20     
画角           6.18     4.76     3.64     2.58     2.07    
像高          21.65    21.65    21.65    21.65    21.65    
レンズ全長   356.74   356.74   356.74   356.74   356.74    
BF             8.82     8.82     8.82     8.82     8.82     
d14            2.14    23.35    40.53    57.30    65.62      
d22           49.44    42.64    33.28    16.30     1.25     
d27           23.92     9.52     1.70     1.90     8.63      
d48            8.82     8.82     8.82     8.82     8.82     
入射瞳位置   247.56   349.66   456.53   584.36   662.57     
射出瞳位置  -137.59  -137.59  -137.59  -137.59  -137.59   
前側主点位置 174.34   147.93     6.94  -509.35  -1196.36    
後側主点位置-191.18  -251.18  -331.18  -471.18  -591.18    
ズームレンズ群データ
群  始面    焦点距離  レンズ構成長  前側主点位置  後側主点位置
1    1     252.24        83.52       -66.85        -97.38
2   15     -48.65        15.87         8.22         -3.70
3   23     142.51        12.87        -1.52         -9.58
4   28     159.42       160.15       -60.17       -181.27
単レンズデータ
レンズ  始面  焦点距離
1       1    340.01
2       3    353.89
3       5   -1158.84
4       7    311.55
5       9    224.77
6      10   -236.51
7      12    286.92
8      13    -97.87
9      15   -187.44
10      17    -68.34
11      19     84.29
12      21    -87.30
13      23    132.64
14      25    100.09
15      26    -91.05
16      29    106.46
17      31    103.93
18      33   -111.72
19      35    -55.93
20      36     36.33
21      38    -55.65
22      40    -64.24
23      41    519.41
24      43     94.26
25      45    -95.23
26      46     48.24
27      47    -95.23
【００７６】
(数値実施例6)
単位 mm
面データ
面番号       r        d      nd         vd       有効径
1        177.323   12.59   1.49700    81.5      115.38
2      -3740.642    0.20                        114.82
3        159.830   12.52   1.49700    81.5      111.03
4       1657.409    5.00                        109.36
5       -752.660    2.50   1.85026    32.3      107.82
6      -3119.033   14.16                        106.66
7        208.888   12.32   1.59522    67.7       94.74
8      -1667.698    0.50                         91.33
9        141.398   11.24   1.49700    81.5       84.01
10       -525.271    2.00   1.83400    37.2       81.21
11        319.655    2.19                         77.44
12        514.660    6.30   1.72047    34.7       76.17
13       -347.632    2.00   1.81600    46.6       74.38
14        104.638  (可変)                         68.80
15        193.039    1.50   1.77250    49.6       40.31
16         82.681    3.31                         39.31
17       -304.014    1.40   1.59522    67.7       39.24
18         47.235    0.25                         38.58
19         46.358    4.27   1.80518    25.4       38.72
20        137.504    3.85                         38.43
21        -84.999    1.30   1.59522    67.7       38.39
22        135.703  (可変)                         38.89
23        581.424    4.58   1.59522    67.7       44.26
24        -91.455    0.30                         44.53
25         99.972    6.59   1.49700    81.5       44.54
26        -97.413    1.40   1.83400    37.2       44.32
27        356.906  (可変)                         44.16
28(絞り)    ∞       5.00                         44.21
29         49.416    6.40   1.49700    81.5       44.65
30        582.372    0.20                         44.20
31         74.993    6.15   1.49700    81.5       42.98
32       -161.051    2.98                         42.21
33       -140.020    1.80   1.81600    46.6       39.46
34        282.716   21.58                         38.21
35        135.363    1.80   1.77250    49.6       27.63
36         32.377    5.94   1.59551    39.2       26.23
37        -59.397    0.20                         25.69
38        -55.581    1.80   1.81600    46.6       25.60
39        264.970   41.92                         24.89
40        -27.006    1.50   1.81600    46.6       26.63
41        -50.610    1.43   1.71736    29.5       28.32
42        -52.230    0.10                         29.11
43        149.212    4.13   1.49700    81.5       30.75
44        -67.815   45.00                         31.19
45          ∞       1.00   1.62588    35.7       40.46
46         50.000    9.00   1.63428    23.3       41.12
47        -50.000    1.00   1.62588    35.7       41.13
48          ∞     (可変)                         41.73
像面        ∞   
【００７７】
各種データ
ズーム比      3.00 
焦点距離     200.00   260.00   340.00   480.00   600.00  
Fナンバー      4.59     4.59     4.60     4.60     5.20    
画角           6.18     4.76     3.64     2.58     2.07      
像高          21.65    21.65    21.65    21.65    21.65   
レンズ全長   355.66   355.66   355.66   355.66   355.66   
BF             8.96     8.96     8.96     8.96     8.96    
d14            2.14    23.35    40.53    57.30    65.62    
d22           49.44    42.64    33.28    16.30     1.25     
d27           23.92     9.52     1.70     1.90     8.63     
d48            8.96     8.96     8.96     8.96     8.96     
入射瞳位置   247.56   349.66   456.53   584.36   662.57  
射出瞳位置  -134.69  -134.69  -134.69  -134.69  -134.69   
前側主点位置 169.10   139.07    -8.22  -539.57  -1243.57   
後側主点位置-191.04  -251.04  -331.04  -471.04  -591.04  
ズームレンズ群データ
群  始面    焦点距離  レンズ構成長  前側主点位置  後側主点位置
1    1     252.24        83.52       -66.85        -97.38
2   15     -48.65        15.87         8.22         -3.70
3   23     142.51        12.87        -1.52         -9.58
4   28     158.78       158.94       -64.13       -180.37
単レンズデータ
レンズ  始面  焦点距離
1       1    340.01
2       3    353.89
3       5   -1158.84
4       7    311.55
5       9    224.77
6      10   -236.51
7      12    286.92
8      13    -97.87
9      15   -187.44
10      17    -68.34
11      19     84.29
12      21    -87.30
13      23    132.64
14      25    100.09
15      26    -91.05
16      29    107.90
17      31    103.55
18      33   -113.96
19      35    -55.25
20      36     35.85
21      38    -55.88
22      40    -72.68
23      41   -3587.75
24      43     94.14
25      45    -79.36
26      46     40.44
27      47    -79.36
【符号の説明】
【００７８】
U1  ズームレンズ、ＳＰ  絞り、U2  光学素子、IP  撮像素子
【図１】
2017203913.tif 000005
【図２】
2017203913.tif 000006
【図３】
2017203913.tif 000007
【図４】
2017203913.tif 000008
【図５】
2017203913.tif 000009
【図６】
2017203913.tif 000010
【図７】
2017203913.tif 000011
【図８】
2017203913.tif 000012
【図９】
2017203913.tif 000013
【図１０】
2017203913.tif 000014
【図１１】
2017203913.tif 000015
【図１２】
2017203913.tif 000016
【図１３】
2017203913.tif 000017
【図１４】
2017203913.tif 000018
【図１５】
2017203913.tif 000019
【図１６】
2017203913.tif 000020
【図１７】
2017203913.tif 000021
【図１８】
2017203913.tif 000022
【図１９】
2017203913.tif 000023
【図２０】
2017203913.tif 000024
【図２１】
2017203913.tif 000025
【図２２】
2017203913.tif 000026
【図２３】
2017203913.tif 000027
【図２４】
2017203913.tif 000028
【図２５】
2017203913.tif 000029
【図２６】
2017203913.tif 000030
【図２７】
2017203913.tif 000031
【図２８】
2017203913.tif 000032
【図２９】
2017203913.tif 000033
【図３０】
2017203913.tif 000034
【図３１】
2017203913.tif 000035